(57)【要約】  既知のシーケンスの送信を利用して動作ポイントの品質を示し、迅速に回復するためのシステム及び方法である。１つの方法が、第１の送受信器の動作ポイントの品質劣化を特定すると、第１の送受信器によって第１の期間の間に第１の既知のシーケンスを送信する段階と、第２の送受信器によって第２の期間の間に第２の既知のシーケンスを用いて返信する段階と、第２の送受信器の動作ポイントの品質劣化を特定すると、第２の送受信器によって第２の期間の間に第２の既知のシーケンスを送信する段階と、第１の送受信器によって第１の期間の間に第１の既知のシーケンスを用いて返信する段階とを含む。ここで送受信器は、既知のシーケンスを受信せずに回復できるよりも速く品質劣化から回復するために既知のシーケンスを利用する。
2019506047.tif 000002
【特許請求の範囲】
【請求項１】
既知のシーケンスの送信を利用して動作ポイントの品質を示す通信システムであって、
第１の送受信器の動作ポイントの品質劣化を特定したことに応答して、第１の期間の間に第１の既知のシーケンスを送信する第１の送受信器と、
前記第１の既知のシーケンスを受信したことに応答して、第２の期間の間に第２の既知のシーケンスを用いて返信する第２の送受信器であって、前記第１の期間及び前記第２の期間のそれぞれは、前記第１の送受信器及び前記第２の送受信器の間の往復遅延時間より長い、第２の送受信器とを備え、
前記第２の送受信器の動作ポイントの品質劣化を特定したことに応答して、前記第２の送受信器はさらに、前記第２の期間の間に前記第２の既知のシーケンスを送信し、次に前記第１の送受信器は、前記第１の期間の間に前記第１の既知のシーケンスを用いて返信し、
前記第１の送受信器は、前記第２の既知のシーケンスを利用して、前記第１の送受信器が前記第２の既知のシーケンスを受信せずに回復できるより速く、前記第１の送受信器の前記動作ポイントの前記品質劣化から回復し、前記第２の送受信器は、前記第１の既知のシーケンスを利用して、前記第２の送受信器が前記第１の既知のシーケンスを受信せずに回復できるよりも速く、前記第２の送受信器の前記動作ポイントの前記品質劣化から回復する、通信システム。
【請求項２】
前記第１の送受信器及び前記第２の送受信器は、前記第１の既知のシーケンス及び前記第２の既知のシーケンスをそれぞれ利用して、前記品質劣化の発生から１ミリ秒未満のうちに前記第１の送受信器及び前記第２の送受信器の前記動作ポイントの前記品質劣化から回復する、請求項１に記載の通信システム。
【請求項３】
前記第１の送受信器及び前記第２の送受信器は、前記第１の既知のシーケンス及び前記第２の既知のシーケンスをそれぞれ利用して、前記品質劣化の発生から５０マイクロ秒未満のうちに前記第１の送受信器及び前記第２の送受信器の動作ポイントの前記品質劣化から回復する、請求項１に記載の通信システム。
【請求項４】
前記第１の送受信器は、前記第１の送受信器の前記動作ポイントの前記品質劣化から回復した後に、第３の既知のシーケンスを送信し、前記第２の送受信器は、前記第２の送受信器の前記動作ポイントの前記品質劣化から回復した後に、第４の既知のシーケンスを送信する、請求項１から３のいずれか一項に記載の通信システム。
【請求項５】
前記第１の送受信器及び前記第２の送受信器は、第１のスクランブル装置及び第２のスクランブル装置をそれぞれ有し、前記第１のスクランブル装置は前記第２の送受信器に認識されており、前記第２のスクランブル装置は前記第１の送受信器に認識されており、前記第１の既知のシーケンス、前記第２の既知のシーケンス、前記第３の既知のシーケンス、及び前記第４の既知のシーケンスは異なるとともに、前記第１のスクランブル装置及び前記第２のスクランブル装置に基づいている、請求項４に記載の通信システム。
【請求項６】
前記第１の既知のシーケンス及び前記第２の既知のシーケンスは、それぞれ前記第１の送受信器及び前記第２の送受信器によって送信されるアイドルシーケンスのビット単位の補数コードワードである、請求項４に記載の通信システム。
【請求項７】
前記第１の送受信器又は前記第２の送受信器によって送信されるそれぞれのビット単位の補数コードワードは、前記第１の送受信器又は前記第２の送受信器によって送信されるアイドルシーケンスに対応して現れる、請求項６に記載の通信システム。
【請求項８】
前記第３の既知のシーケンス及び前記第４の既知のシーケンスは、それぞれ前記第１の送受信器及び前記第２の送受信器によって送信されるアイドルシーケンスであり、前記第２の送受信器は、前記第３の既知のシーケンスを受信して初めてデータを送信し始め、前記第１の送受信器は、前記第４の既知のシーケンスを受信して初めてデータを送信し始める、請求項４に記載の通信システム。
【請求項９】
前記第１の送受信器の前記動作ポイントの前記品質劣化を特定してから前記第１の既知のシーケンスの前記送信を開始するまでの期間は、前記第１の送受信器が名目データパケットを送信するのに必要な期間より短い、請求項１から８のいずれか一項に記載の通信システム。
【請求項１０】
前記第１の送受信器は、データパケットを送信している途中で、前記第１の既知のシーケンスの前記送信を開始する、請求項９に記載の通信システム。
【請求項１１】
前記第１の既知のシーケンスを受信してから前記第２の既知のシーケンスの前記送信を開始するまでの期間は、前記第２の送受信器が名目データパケットを送信するのに必要な期間より短い、請求項１から１０のいずれか一項に記載の通信システム。
【請求項１２】
前記第２の送受信器は、データパケットを送信している途中で、前記第２の既知のシーケンスの前記送信を開始する、請求項１１に記載の通信システム。
【請求項１３】
前記第１の期間及び前記第２の期間は両方とも、０．１マイクロ秒より長く、５００マイクロ秒より短い、請求項１から１２のいずれか一項に記載の通信システム。
【請求項１４】
前記第１の期間及び前記第２の期間は両方とも、０．１マイクロ秒より長く、２０マイクロ秒より短い、請求項１から１２のいずれか一項に記載の通信システム。
【請求項１５】
既知のシーケンスの送信を利用して動作ポイントの品質を示す通信システムであって、
第１の送受信器の動作ポイントの品質劣化を特定したことに応答して、第１の期間の間に第１の既知のシーケンスを送信する第１の送受信器と、
前記第１の既知のシーケンスを受信したことに応答して、第２の期間の間に第２の既知のシーケンスを用いて返信する第２の送受信器であって、前記第１の期間及び前記第２の期間のそれぞれは、前記第１の送受信器及び前記第２の送受信器の間の往復遅延時間より長い、第２の送受信器とを備え、
前記第２の送受信器の動作ポイントの品質劣化を特定したことに応答して、前記第２の送受信器はさらに、前記第２の期間の間に前記第２の既知のシーケンスを送信し、次に前記第１の送受信器は、前記第１の期間の間に前記第１の既知のシーケンスを用いて返信し、
前記第１の送受信器及び前記第２の送受信器は、５００Ｍｂｐｓを超える速度でデータを送信する差動通信チャネルを介して通信し、前記第１の送受信器及び前記第２の送受信器の前記動作ポイントの前記品質劣化は、コモンモード信号のモード変換によって生じ、前記品質劣化を被っている間は、前記第１の送受信器及び前記第２の送受信器は期待される性能を満たさない、通信システム。
【請求項１６】
既知のシーケンスの送信を利用して動作ポイントの品質を示す通信システムであって、
第１の送受信器の動作ポイントの品質劣化を特定したことに応答して、第１の期間の間に第１の既知のシーケンスを送信する第１の送受信器と、
前記第１の既知のシーケンスを受信したことに応答して、第２の期間の間に第２の既知のシーケンスを用いて返信する第２の送受信器であって、前記第１の期間及び前記第２の期間のそれぞれは、前記第１の送受信器及び前記第２の送受信器の間の往復遅延時間より長い、第２の送受信器と、
前記第１の送受信器及び前記第２の送受信器のうち少なくとも一方が、前記第１の送受信器及び前記第２の送受信器の前記動作ポイントの前記品質劣化からそれぞれ回復していない間に送信できなかったパケットの送信を要求する再送信モジュールとを備え、
前記第２の送受信器の動作ポイントの品質劣化を特定したことに応答して、前記第２の送受信器はさらに、前記第２の期間の間に前記第２の既知のシーケンスを送信し、次に前記第１の送受信器は、前記第１の期間の間に前記第１の既知のシーケンスを用いて返信する、通信システム。
【請求項１７】
既知のシーケンスの送信を利用して、第１の送受信器及び第２の送受信器の動作ポイントの品質を示すための方法であって、
前記第１の送受信器の動作ポイントの品質劣化を特定すると、前記第１の送受信器によって第１の期間の間に第１の既知のシーケンスを送信する段階と、
前記第１の既知のシーケンスを受信すると、前記第２の送受信器によって第２の期間の間に第２の既知のシーケンスを用いて返信する段階であって、前記第１の期間及び前記第２の期間のそれぞれは、前記第１の送受信器及び前記第２の送受信器の間の往復遅延時間より長い、段階と、
前記第２の送受信器の動作ポイントの品質劣化を特定すると、前記第２の送受信器によって前記第２の期間の間に前記第２の既知のシーケンスを送信し、前記第１の送受信器によって前記第１の期間の間に前記第１の既知のシーケンスを用いて返信する段階と、
前記第１の送受信器が前記第２の既知のシーケンスを受信せずに回復できるよりも速く前記第１の送受信器の前記動作ポイントの前記品質劣化から回復するために、前記第１の送受信器によって前記第２の既知のシーケンスを利用し、前記第２の送受信器が前記第１の既知のシーケンスを受信せずに回復できるよりも速く前記第２の送受信器の前記動作ポイントの前記品質劣化から回復するために、前記第２の送受信器によって前記第１の既知のシーケンスを利用する段階とを備える、方法。
【請求項１８】
前記品質劣化の発生から１ミリ秒未満のうちに、前記第１の送受信器及び前記第２の送受信器の前記動作ポイントの前記品質劣化から回復するために、前記第１の送受信器及び前記第２の送受信器によって前記第１の既知のシーケンス及び前記第２の既知のシーケンスをそれぞれ利用する段階をさらに備える、請求項１７に記載の方法。
【請求項１９】
前記品質劣化の発生から５０マイクロ秒未満のうちに、前記第１の送受信器及び前記第２の送受信器の前記動作ポイントの前記品質劣化から回復するために、前記第１の送受信器及び前記第２の送受信器によって前記第１の既知のシーケンス及び前記第２の既知のシーケンスをそれぞれ利用する段階をさらに備える、請求項１７に記載の方法。
【請求項２０】
前記第１の送受信器の前記動作ポイントの前記品質劣化から回復した後に、前記第１の送受信器によって第３の既知のシーケンスを送信する段階と、前記第２の送受信器の前記動作ポイントの前記品質劣化から回復した後に、前記第２の送受信器によって第４の既知のシーケンスを送信する段階とをさらに備える、請求項１７から１９のいずれか一項に記載の方法。
【請求項２１】
前記第３の既知のシーケンスを受信して初めて、前記第２の送受信器によってデータを送信する段階と、前記第４の既知のシーケンスを受信して初めて、前記第１の送受信器によってデータを送信する段階とをさらに備える、請求項２０に記載の方法。
【請求項２２】
前記第１の送受信器の前記動作ポイントの前記品質劣化を特定してから前記第１の既知のシーケンスを送信し始めるまでの期間は、前記第１の送受信器がパケットを送信するのに必要な期間より短い、請求項１７から２１のいずれか一項に記載の方法。
【発明の詳細な説明】
【技術分野】
【０００１】
［関連出願の相互参照］
本出願は、２０１６年１月２５日に出願された米国仮特許出願第６２／２８６，９３０号の利益を主張し、２０１６年４月２日に出願された米国仮特許出願第６２／３１７，５０９号の利益を主張し、また２０１６年６月１日に出願された米国仮特許出願第６２／３４３，８７４号の利益を主張する。
【背景技術】
【０００２】
ステータスシグナリングが、送受信器機能を制御し、健全性情報及びステータス情報を監視するために一般に用いられている。しかしながら、ステータスシグナリングは機能する通信リンクを必要とし、従来技術の参考文献は、リンク相手の一方又は両方が、データを受信することができない劣悪な動作ポイントにある場合に、ステータスシグナリングを可能にするメカニズムを開示していない。
【発明の概要】
【０００３】
１つの実施形態において、通信システムは、既知のシーケンスの送信を利用して動作ポイントの品質を示すように構成される。通信システムには、第１の及び第２の送受信器が含まれる。第１の送受信器は、その動作ポイントの品質劣化を特定したことに応答して、第１の期間の間に第１の既知のシーケンスを送信するように構成される。第２の送受信器は、第１の既知のシーケンスを受信したことに応答して、第２の期間の間に第２の既知のシーケンスを用いて返信するように構成され、第１及び第２の期間のそれぞれは、第１及び第２の送受信器の間の往復遅延時間より長い。また、第２の送受信器の動作ポイントの品質劣化を特定したことに応答して、第２の送受信器はさらに、第２の期間の間に第２の既知のシーケンスを送信するように構成され、次に第１の送受信器は、第１の期間の間に第１の既知のシーケンスを用いて返信するように構成される。
【０００４】
別の実施形態において、既知のシーケンスの送信を利用して第１及び第２の送受信器の動作ポイントの品質を示すための方法が、以下の段階を含む。すなわち、第１の送受信器の動作ポイントの品質劣化を特定すると、第１の送受信器によって第１の期間の間に第１の既知のシーケンスを送信する段階と、第１の既知のシーケンスを受信すると、第２の送受信器によって第２の期間の間に第２の既知のシーケンスを用いて返信する段階であって、第１及び第２の期間のそれぞれは、第１及び第２の送受信器の間の往復遅延時間より長い、段階と、第２の送受信器の動作ポイントの品質劣化を特定すると、第２の送受信器によって第２の期間の間に第２の既知のシーケンスを送信し、第１の送受信器によって第１の期間の間に第１の既知のシーケンスを用いて返信する段階とである。
【図面の簡単な説明】
【０００５】
実施形態が、添付図面を参照しながら、例としてのみ本明細書で説明される。これらの実施形態の構造的な詳細を、これらの実施形態の基本的な理解に必要となるよりも詳細に示す試みは行われていない。図面は以下の通りである。
【０００６】
【図１】既知のシーケンスの送信を利用して動作ポイントの品質を示すための通信システムを示す。
【０００７】
【図２】既知のデータを高速収束に利用するモード変換キャンセラの１つの実施形態を示す。
【発明を実施するための形態】
【０００８】
１つの実施形態において、送受信器が、そのリンク相手から、当該相手が劣悪な動作ポイントに位置しているというインジケーションを受信する。その結果、送受信器は、少なくとも第１の予め定められた最短期間の間に第１の既知のデータを送信し始め、次に、その受信機（送信器の受信機）が良好な動作ポイントに位置していることを示す信号を送信する。リンク相手は、送受信器が劣悪な動作ポイントに位置しているというインジケーションをリンク相手が当該送受信器から受信する場合、類似の方式で動作するように構成される。リンク相手は、少なくとも第２の予め定められた最短期間の間に第２の既知のデータを送信し始め、次に、その受信機（リンク相手の受信機）が良好な動作ポイントに位置していることを示す信号を送信する。
【０００９】
図１は、既知のシーケンスの送信を利用して動作ポイントの品質を示すための通信システムを示す。本システムは、第１の送受信器４０１及び第２の送受信器４０２を含み、これらの送受信器は通信チャネル４０３を介して通信する。第１の送受信器４０１は、自らが位置する動作ポイントの品質劣化を特定したことに応答して、第１の期間の間に第１の既知のシーケンスを送信する。次に、第２の送受信器４０２は、第１の既知のシーケンスを受信したことに応答して、第２の期間の間に第２の既知のシーケンスを用いて返信する。第１及び第２の期間のそれぞれは、第１及び第２の送受信器の間の往復遅延時間より長い。また、第２の送受信器４０２は、第２の送受信器４０２の動作ポイントの品質劣化を特定したことに応答して、第２の期間の間に第２の既知のシーケンスを送信し、次に第１の送受信器４０１は、第１の期間の間に第１の既知のシーケンスを用いて返信する。
【００１０】
この通信システムの特徴は、様々なオプションであり得る。任意選択で、第１の送受信器は第２の既知のシーケンスを利用して、当該第２の既知のシーケンスを受信せずに回復できるよりも速く品質劣化から回復する。さらに、第２の送受信器は、第１の既知のシーケンスを利用して、当該第１の既知のシーケンスを受信せずに回復できるよりも速く品質劣化から回復することができる。別のオプションによれば、第１及び第２の送受信器はそれぞれ、第１及び第２の既知のシーケンスを利用して、品質劣化の発生から１ミリ秒未満のうちに品質劣化から回復する。１つの例では、品質劣化から回復するという意味は、通信システムがその期待される性能に従ってデータ交換に成功することができるということである。さらに別のオプションによれば、第１及び第２の送受信器はそれぞれ、第１及び第２の既知のシーケンスを利用して、品質劣化の発生から５０マイクロ秒未満のうちに品質劣化から回復する。
【００１１】
任意選択で、第１の送受信器は、品質劣化から回復した後に第３の既知のシーケンスを送信し、第２の送受信器は、品質劣化から回復した後に第４の既知のシーケンスを送信する。任意選択で、第１、第２、第３、及び第４の既知のシーケンスは異なる。さらに、第１及び第２の送受信器はそれぞれ、第１及び第２のスクランブル装置を含んでよく、第１のスクランブル装置は第２の送受信器に認識されており、第２のスクランブル装置は第１の送受信器に認識されており、第１、第２、第３、及び第４の既知のシーケンスは、これらのスクランブル装置に基づいている。追加的に又は代替的に、第１及び第２の既知のシーケンスはそれぞれ、第１及び第２の送受信器によって送信されるアイドルシーケンスのビット単位の補数コードワードであってよく、ビット単位の補数コードワードのそれぞれは、アイドルシーケンスに現れてよい。任意選択で、第３及び第４の既知のシーケンスはそれぞれ、第１及び第２の送受信器によって送信されるアイドルシーケンスである。また、別のオプションによれば、第２の送受信器は、第３の既知のシーケンスを受信して初めてデータを送信し始め、第１の送受信器は、第４の既知のシーケンスを受信して初めてデータを送信し始める。
【００１２】
任意選択で、第１の送受信器の動作ポイントの品質劣化を特定してから第１の既知のシーケンスの送信を開始するまでの期間は、第１の送受信器が名目データパケットを送信するのに必要な期間より短い。さらに、第１の送受信器は、データパケットを送信している途中で、第１の既知のシーケンスの送信を開始してよい。別のオプションによれば、第１の既知のシーケンスを受信してから第２の既知のシーケンスの送信を開始するまでの期間は、第２の送受信器が名目データパケットを送信するのに必要な期間より短い。さらに、第２の送受信器は、データパケットを送信している途中で、第２の既知のシーケンスの送信を開始してよい。
【００１３】
任意選択で、第１及び第２の期間は、予め決定され等しい。任意選択で、第１及び第２の期間は両方とも、０．１マイクロ秒より長く、５００マイクロ秒より短い。また、任意選択で、第１及び第２の期間は両方とも、０．１マイクロ秒より長く、２０マイクロ秒より短い。
【００１４】
１つの例において、品質劣化はコモンモード信号のモード変換によって生じ、品質劣化を被っている間は、第１及び第２の送受信器は、それぞれの期待される性能を満たさない。この例では、第１の送受信器の動作ポイントの品質劣化は、コモンモード信号のモード変換によって生じることがあり、品質劣化を被っている間は、第１の送受信器は期待される性能を満たさない。追加的に又は代替的に、第２の送受信器の動作ポイントの品質劣化は、コモンモード信号のモード変換によって生じることがあり、品質劣化を被っている間は、第２の送受信器は期待される性能を満たさない。
【００１５】
この通信システムはさらに、第１及び第２の送受信器のうち少なくとも一方が品質劣化から回復していない間に送信できなかったパケットの送信を要求するための再送信モジュールを含んでよい。また任意選択で、第１及び第２の送受信器は、５００Ｍｂｐｓを超える速度でデータを送信する差動通信チャネルを介して通信する。
【００１６】
１つの実施形態において、既知のシーケンスの送信を利用し、通信チャネルを介して通信する第１及び第２の送受信器の動作ポイントの品質を示すための方法が、以下の段階を含む。段階１では、第１の送受信器の動作ポイントの品質劣化を特定すると、第１の送受信器によって第１の期間の間に第１の既知のシーケンスを送信する。段階２では、第１の既知のシーケンスを受信すると、第２の送受信器によって第２の期間の間に第２の既知のシーケンスを用いて返信し、第１及び第２の期間のそれぞれは、第１及び第２の送受信器の間の往復遅延時間より長い。さらに段階３では、第２の送受信器の動作ポイントの品質劣化を特定すると、第２の送受信器によって第２の期間の間に第２の既知のシーケンスを送信し、第１の送受信器によって第１の期間の間に第１の既知のシーケンスを用いて返信する。
【００１７】
本方法は任意選択でさらに、第１の送受信器が品質劣化から回復した後に第１の送受信器によって第３の既知のシーケンスを送信し、第２の送受信器が品質劣化から回復した後に第２の送受信器によって第４の既知のシーケンスを送信する段階を含む。任意選択で、本方法はさらに、第３の既知のシーケンスを受信して初めて第２の送受信器によってデータを送信し、第４の既知のシーケンスを受信して初めて第１の送受信器によってデータを送信する段階を含む。
【００１８】
本方法は任意選択で、第１の送受信器が第２の既知のシーケンスを受信せずに回復できるより速くその品質劣化から回復するために、第１の送受信器によって第２の既知のシーケンスを利用する段階を含んでよい。追加的に又は代替的に、本方法はさらに、第２の送受信器が第１の既知のシーケンスを受信せずに回復できるより速くその品質劣化から回復するために、第２の送受信器によって第１の既知のシーケンスを利用する段階を含む。任意選択で、本方法はさらに、第１及び第２の送受信器が、品質劣化の発生から１ミリ秒未満のうちに品質劣化から回復するために、それぞれ第１及び第２の既知のシーケンスを利用する段階を含む。別のオプションによれば、本方法はさらに、第１及び第２の送受信器が、品質劣化の発生から５０マイクロ秒未満のうちに品質劣化から回復するために、それぞれ第１及び第２の既知のシーケンスを利用する段階を含む。
【００１９】
１つの例において、第１の送受信器の動作ポイントの品質劣化を特定してから第１の既知のシーケンスを送信し始めるまでの期間は、第１の送受信器がパケットを送信するのに必要な期間より短い。また任意選択で、本方法はさらに、第１及び第２の送受信器のうち少なくとも一方が品質劣化から回復していない間に送信できなかったパケットを送信する段階を含む。
【００２０】
図２は、既知のデータを高速収束に利用するモード変換キャンセラの１つの実施形態を示す。この実施形態は、以下の要素、すなわち、受信機アナログフロントエンド（Ｒｘ−ＡＦＥ２２２）と、第２の送受信器１３８に結合されている差動通信チャネル２１０に結合されたコモンモードセンサＡＦＥ（ＣＭＳ−ＡＦＥ２３０）とを含む送受信器１３０を含む。Ｒｘ−ＡＦＥ２２２は、受信された差動信号をデジタルイコライザ及び／又はデジタルキャンセラ（ＤＥＤＣ１３１）に送る。ＣＭＳ−ＡＦＥ２３０は、受信された差動信号のコモンモード信号のデジタル表現を抽出し、補償信号を生成して差動干渉を軽減する高速適応モード変換キャンセラ（ＦＡ−ＭＣＣ１３２）に、抽出されたデジタル表現を転送する。補償信号は、差動干渉の影響の少なくとも一部を、送受信器がその期待される性能を満たすことができる程度までキャンセルする場合に、補償信号は差動干渉を軽減することに留意されたい。例えば、送受信器が約２００Ｍｂ／ｓのスループットをサポートすると期待されているならば、補償信号は、送受信器が２００Ｍｂ／ｓのスループットをサポートできる場合に差動干渉を軽減し、送受信器が２００Ｍｂ／ｓのスループットをサポートできない場合には差動干渉を軽減しない。
【００２１】
送受信器１３０は、深刻な差動干渉が発生したというインジケーションを受信したことに応答して、既知のデータを送信する第２の送受信器１３８を示す。送受信器１３０は、そのスライスエラーの精度を既知のデータを利用して改善し（場合によっては、スライスエラーを減少させることを意味する）、これにより、深刻な差動干渉をある程度軽減するレベルであって、再送信モジュール１３６がエラーのあったパケットの再送信を、２ミリ秒のウィンドウにわたって一定速度のデータ送信を維持するのに十分高速に要求できるレベルに対して、ＦＡ−ＭＣＣ１３２の高速適応が可能になる。
【００２２】
任意選択で、デジタルイコライザは適応デジタルイコライザであってよく、デジタルキャンセラは適応デジタルキャンセラであってよい。ＤＥＤＣは、適応デジタルイコライザ及び適応デジタルキャンセラ（ＡＤＥＣ）の両方を含んでよい。この場合、ＦＡ−ＭＣＣ及びＡＤＥＣは、元の送信信号の表現（ＲＯＳ）を再構築し、物理符号化サブレイヤ（ＰＣＳ１３５）にスライスされたシンボルを提供するスライサ１３３にＲＯＳを供給してよい。ＰＣＳ１３５は、スライスされたシンボルからビットストリームを抽出し、スライスされたシンボルをパースするリンクレイヤコンポーネントをパケットに供給してよい。任意選択で、リンクレイヤコンポーネントは再送信モジュール１３６を含む。
【００２３】
一般に、差動通信チャネルのパラメータは、完全に認識されているわけではなく、送受信器１３０は、深刻な差動干渉がない場合に、第１のパケット損失率で動作する。時には、差動通信チャネルは深刻な差動干渉を被ることがあり、深刻な差動干渉は、送受信器１３０のパケット損失率を第１のパケット損失率の少なくとも１０倍、１０００倍、及び／又は１００万倍となる第２のパケット損失率に増大させる。追加的に又は代替的に、深刻な差動干渉は、コモンモード信号のモード変換によって引き起こされることがあり、深刻な差動干渉とみなされる干渉を被っている間に、送受信器はその期待される性能を満たさない。
【００２４】
任意選択で、ＦＡ−ＭＣＣ１３２は短時間で収束し、その結果、深刻な差動干渉に応じた再送信は依然として、送受信器１３０が１ミリ秒未満又はさらに５０マイクロ秒未満のパケット遅延バラツキ内でパケットを転送することを可能にする。さらに、深刻な差動干渉が発生したというインジケーションを受信したことに応答して、ＦＡ−ＭＣＣ１３２は、深刻な差動干渉の影響を速やかに軽減するために、その適応ステップサイズ（ＡＤＳＳ）を少なくとも５０％だけ増大させることができる。任意選択で、ＦＡ−ＭＣＣ１３２は、深刻な差動干渉の影響を軽減した後に、そのＡＤＳＳを減少させてよい。
【００２５】
この実施形態で用いられる要素は、様々な方法で実装されてよい。アナログフロントエンド（Ｒｘ−ＡＦＥ、Ｔｘ−ＡＦＥ、及びＣＭＳ−ＡＦＥなど）は、アナログ要素及び／又はアナログとデジタルの要素を用いて実装されてよい。バッファが、データを格納するメモリと、パラレルバス又はシリアルバスなどの通信チャネルを介してデータにアクセスするプロセッサとを用いて実装される。デジタルキャンセラ、イコライザ、ＤＢＦ、ＦＡ−ＭＣＣ、ＡＤＥＣ、ＤＥＤＣ、スライサ、セレクタ、エラー発生機、スクランブル装置、ＰＣＳ、リンクレイヤモジュール、再送信モジュール、制御装置、及び／又は速度制御装置などの要素は、以下のハードウェア、ファームウェア、及びソフトウェア要素のうち１つ又は複数を含む組み合わせを利用して実装されてよく、それらの要素は、ＡＳＩＣ、ＦＰＧＡ、プロセッサ、メモリブロック、ディスクリート回路、集積回路、少なくとも１つのメモリブロックに格納されたコマンドを実行する少なくとも１つのプロセッサ、コンピュータ処理装置で実行された場合にコンピュータ処理装置に特定の動作を実行させるコンピュータ実行可能命令を含む非一時的コンピュータ可読媒体、プロセッサとプロセッサによって実行可能な命令のプログラムとを含むコンピュータ可読記憶媒体（命令が実行された場合、プロセッサは特定の動作を実行する）、１つ又は複数の処理ユニットと１つ又は複数のプロセッサユニットによる実行のために構成された１つ又は複数のプログラムを格納するメモリとを含むコンピュータシステム（１つ又は複数のプログラムは、特定の動作の命令を含む）、データ処理装置とデータ処理装置によって実行可能な命令を格納する非一時的コンピュータ可読媒体とを含むシステム（命令は実行されると、データ処理装置に特定の動作を実行させる）などである。
【００２６】
本明細書では、「１つの実施形態」への言及は、参照されている特徴が本発明の少なくとも１つの実施形態に含まれ得ることを意味する。さらに、本明細書における「１つの実施形態」又は「いくつかの実施形態」への別個の言及が、必ずしも同じ実施形態を意味するわけではない。さらに、「１つの実施形態」及び「別の実施形態」への言及が、必ずしも異なる実施形態を意味しなくてよいが、場合によっては、ある実施形態の異なる態様を示すのに用いられる用語であってよい。
【００２７】
図に示された個々のブロックは、機能的な性格を帯びてよく、したがって、必ずしも別個のハードウェア要素に対応しなくてよい。本明細書で開示された方法は、特定の順序で実行される特定の段階を参照して説明され示されたが、これらの段階は、実施形態の教示から逸脱することなく均等な方法を形成するために、組み合わされ、細分化され、及び／又は並べ替えられてよいことが理解される。したがって、本明細書で特に示されない限り、各段階の順序及びグループ化は、これらの実施形態を限定するものではない。さらに、これらの実施形態の方法及びメカニズムが、明確さを目的に単数形で説明されることがある。しかしながら、特に断りのない限り、いくつかの実施形態は、方法の複数の繰り返し又はメカニズムの複数の具体例を含んでよい。例えば、１つの実施形態において１つのプロセッサが開示される場合、その実施形態の範囲は、複数のプロセッサの使用も含むことが意図されている。
【図１】
2019506047.tif 000003
【図２】
2019506047.tif 000004
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
既知のシーケンスの送信を利用して動作ポイントの品質を示す通信システムであって、
第１の送受信器の動作ポイントの品質劣化を特定したことに応答して、第１の期間の間に第１の既知のシーケンスを送信する第１の送受信器と、
前記第１の既知のシーケンスを受信したことに応答して、第２の期間の間に第２の既知のシーケンスを用いて返信する第２の送受信器であって、前記第１の期間及び前記第２の期間のそれぞれは、前記第１の送受信器及び前記第２の送受信器の間の往復遅延時間より長い、第２の送受信器とを備え、
前記第２の送受信器の動作ポイントの品質劣化を特定したことに応答して、前記第２の送受信器はさらに、前記第２の期間の間に前記第２の既知のシーケンスを送信し、次に前記第１の送受信器は、前記第１の期間の間に前記第１の既知のシーケンスを用いて返信し、
前記第１の送受信器は、前記第２の既知のシーケンスを利用して、前記第１の送受信器が前記第２の既知のシーケンスを受信せずに回復できるより速く、前記第１の送受信器の前記動作ポイントの前記品質劣化から回復し、前記第２の送受信器は、前記第１の既知のシーケンスを利用して、前記第２の送受信器が前記第１の既知のシーケンスを受信せずに回復できるよりも速く、前記第２の送受信器の前記動作ポイントの前記品質劣化から回復する、通信システム。
【請求項２】
前記第１の送受信器及び前記第２の送受信器は、前記第１の既知のシーケンス及び前記第２の既知のシーケンスをそれぞれ利用して、前記品質劣化の発生から１ミリ秒未満のうちに前記第１の送受信器及び前記第２の送受信器の前記動作ポイントの前記品質劣化から回復する、請求項１に記載の通信システム。
【請求項３】
前記第１の送受信器及び前記第２の送受信器は、前記第１の既知のシーケンス及び前記第２の既知のシーケンスをそれぞれ利用して、前記品質劣化の発生から５０マイクロ秒未満のうちに前記第１の送受信器及び前記第２の送受信器の動作ポイントの前記品質劣化から回復する、請求項１に記載の通信システム。
【請求項４】
前記第１の送受信器は、前記第１の送受信器の前記動作ポイントの前記品質劣化から回復した後に、第３の既知のシーケンスを送信し、前記第２の送受信器は、前記第２の送受信器の前記動作ポイントの前記品質劣化から回復した後に、第４の既知のシーケンスを送信する、請求項１から３のいずれか一項に記載の通信システム。
【請求項５】
前記第１の送受信器及び前記第２の送受信器は、第１のスクランブル装置及び第２のスクランブル装置をそれぞれ有し、前記第１のスクランブル装置は前記第２の送受信器に認識されており、前記第２のスクランブル装置は前記第１の送受信器に認識されており、前記第１の既知のシーケンス、前記第２の既知のシーケンス、前記第３の既知のシーケンス、及び前記第４の既知のシーケンスは異なるとともに、前記第１のスクランブル装置及び前記第２のスクランブル装置に基づいている、請求項４に記載の通信システム。
【請求項６】
前記第１の既知のシーケンス及び前記第２の既知のシーケンスは、それぞれ前記第１の送受信器及び前記第２の送受信器によって送信されるアイドルシーケンスのビット単位の補数コードワードである、請求項４に記載の通信システム。
【請求項７】
前記第１の送受信器又は前記第２の送受信器によって送信されるそれぞれのビット単位の補数コードワードは、前記第１の送受信器又は前記第２の送受信器によって送信されるアイドルシーケンスに対応して現れる、請求項６に記載の通信システム。
【請求項８】
前記第３の既知のシーケンス及び前記第４の既知のシーケンスは、それぞれ前記第１の送受信器及び前記第２の送受信器によって送信されるアイドルシーケンスであり、前記第２の送受信器は、前記第３の既知のシーケンスを受信して初めてデータを送信し始め、前記第１の送受信器は、前記第４の既知のシーケンスを受信して初めてデータを送信し始める、請求項４に記載の通信システム。
【請求項９】
前記第１の送受信器の前記動作ポイントの前記品質劣化を特定してから前記第１の既知のシーケンスの前記送信を開始するまでの期間は、前記第１の送受信器が名目データパケットを送信するのに必要な期間より短い、請求項１から８のいずれか一項に記載の通信システム。
【請求項１０】
前記第１の送受信器は、データパケットを送信している途中で、前記第１の既知のシーケンスの前記送信を開始する、請求項９に記載の通信システム。
【請求項１１】
前記第１の既知のシーケンスを受信してから前記第２の既知のシーケンスの前記送信を開始するまでの期間は、前記第２の送受信器が名目データパケットを送信するのに必要な期間より短い、請求項１から１０のいずれか一項に記載の通信システム。
【請求項１２】
前記第２の送受信器は、データパケットを送信している途中で、前記第２の既知のシーケンスの前記送信を開始する、請求項１１に記載の通信システム。
【請求項１３】
前記第１の期間及び前記第２の期間は両方とも、０．１マイクロ秒より長く、５００マイクロ秒より短い、請求項１から１２のいずれか一項に記載の通信システム。
【請求項１４】
前記第１の期間及び前記第２の期間は両方とも、０．１マイクロ秒より長く、２０マイクロ秒より短い、請求項１から１２のいずれか一項に記載の通信システム。
【請求項１５】
既知のシーケンスの送信を利用して、第１の送受信器及び第２の送受信器の動作ポイントの品質を示すための方法であって、
前記第１の送受信器の動作ポイントの品質劣化を特定すると、前記第１の送受信器によって第１の期間の間に第１の既知のシーケンスを送信する段階と、
前記第１の既知のシーケンスを受信すると、前記第２の送受信器によって第２の期間の間に第２の既知のシーケンスを用いて返信する段階であって、前記第１の期間及び前記第２の期間のそれぞれは、前記第１の送受信器及び前記第２の送受信器の間の往復遅延時間より長い、段階と、
前記第２の送受信器の動作ポイントの品質劣化を特定すると、前記第２の送受信器によって前記第２の期間の間に前記第２の既知のシーケンスを送信し、前記第１の送受信器によって前記第１の期間の間に前記第１の既知のシーケンスを用いて返信する段階と、
前記第１の送受信器が前記第２の既知のシーケンスを受信せずに回復できるよりも速く前記第１の送受信器の前記動作ポイントの前記品質劣化から回復するために、前記第１の送受信器によって前記第２の既知のシーケンスを利用し、前記第２の送受信器が前記第１の既知のシーケンスを受信せずに回復できるよりも速く前記第２の送受信器の前記動作ポイントの前記品質劣化から回復するために、前記第２の送受信器によって前記第１の既知のシーケンスを利用する段階とを備える、方法。
【請求項１６】
前記品質劣化の発生から１ミリ秒未満のうちに、前記第１の送受信器及び前記第２の送受信器の前記動作ポイントの前記品質劣化から回復するために、前記第１の送受信器及び前記第２の送受信器によって前記第１の既知のシーケンス及び前記第２の既知のシーケンスをそれぞれ利用する段階をさらに備える、請求項１５に記載の方法。
【請求項１７】
前記品質劣化の発生から５０マイクロ秒未満のうちに、前記第１の送受信器及び前記第２の送受信器の前記動作ポイントの前記品質劣化から回復するために、前記第１の送受信器及び前記第２の送受信器によって前記第１の既知のシーケンス及び前記第２の既知のシーケンスをそれぞれ利用する段階をさらに備える、請求項１５に記載の方法。
【請求項１８】
前記第１の送受信器の前記動作ポイントの前記品質劣化から回復した後に、前記第１の送受信器によって第３の既知のシーケンスを送信する段階と、前記第２の送受信器の前記動作ポイントの前記品質劣化から回復した後に、前記第２の送受信器によって第４の既知のシーケンスを送信する段階とをさらに備える、請求項１５から１７のいずれか一項に記載の方法。
【請求項１９】
前記第３の既知のシーケンスを受信して初めて、前記第２の送受信器によってデータを送信する段階と、前記第４の既知のシーケンスを受信して初めて、前記第１の送受信器によってデータを送信する段階とをさらに備える、請求項１８に記載の方法。
【国際調査報告】
2019506047.tif 000005
2019506047.tif 000006
2019506047.tif 000007